(57)【特許請求の範囲】
【請求項１】
ノードによって、前記ノードがノードのサブセットの一部であると決定することと、ここにおいて、ノードの前記サブセット中の各ノードが、ノードの前記サブセットを含むノードのセットのための１つまたは複数のシステム走査を実施し、ここにおいて、前記ノードが、前記ノードの１つまたは複数の特性に少なくとも部分的に基づいてノードの前記サブセットの一部であると決定され、
前記ノードがノードの前記サブセットの一部であると決定したことに応答して、前記ノードによって１つまたは複数の無線アクセス技術（ＲＡＴ）に対する前記１つまたは複数のシステム走査を実施することと、
前記ノードによって、前記１つまたは複数のＲＡＴに対する前記１つまたは複数のシステム走査からの１つまたは複数のシステム走査結果を取得することと、
前記ノードによって、前記１つまたは複数のシステム走査結果をノードの前記セットに送信することと、ここにおいて、ノードの前記セット中の各ノードが、前記１つまたは複数のシステム走査結果に少なくとも部分的に基づいて、第１のＲＡＴから第２のＲＡＴに切り替えるべきかどうかを決定するように構成された、
を備える、通信の方法。
【請求項２】
前記１つまたは複数の特性は、ノードの前記セット中の前記ノードとのＲＡＴ類似性、ＲＡＴごとのシステム走査ごとに消費される電力量、前記ノードが接続状態にあるかどうか、前記ノードがボイス能力を有するかどうかのうちの少なくとも１つまたは複数を備える、請求項１に記載の方法。
【請求項３】
ノードの前記サブセットが、ノードの前記セットのためのＲＡＴごとのシステム走査ごとに消費される電力量を最小限に抑える１つまたは複数のノードを備える、請求項１に記載の方法。
【請求項４】
前記１つまたは複数のシステム走査を実施することが、前記第１のＲＡＴについてシステム走査を実施することを備え、ここにおいて、ノードの前記サブセット中の各ノードが、前記１つまたは複数のＲＡＴからのそれぞれのＲＡＴについて前記システム走査を並列に実施する、請求項１に記載の方法。
【請求項５】
前記１つまたは複数のシステム走査結果をノードの前記セットに送信することが、前記ノードとノードの前記セット中の前記ノードとの間のピアツーピア（Ｐ２Ｐ）接続性を介して前記１つまたは複数のシステム走査結果を送信することを備え、ここにおいて、前記Ｐ２Ｐ接続性が、Ｂｌｕｅｔｏｏｔｈ、またはワイヤレスローカルエリアネットワーク（ＷＬＡＮ）、またはワイヤレスワイドエリアネットワーク（ＷＷＡＮ）、またはＷｉＦｉ、またはロングタームエボリューション（ＬＴＥ）、またはＤ−ｂｕｓのうちの１つまたは複数を介した接続性を備える、請求項１に記載の方法。
【請求項６】
前記ノードによって、ノードの前記サブセットの一部である１つまたは複数のノードから１つまたは複数の後続のシステム走査結果を取得することと、
前記ノードによって、前記１つまたは複数のシステム走査結果および前記１つまたは複数の後続のシステム走査結果のうちの一方または両方に少なくとも部分的に基づいて、前記第１のＲＡＴから前記第２のＲＡＴに切り替えるべきかどうかを決定することと、ここにおいて、前記第１のＲＡＴから前記第２のＲＡＴへの前記切替えが、前記第１のＲＡＴを無効にすること、または前記第１のＲＡＴに対して関連するパブリックランドモバイルネットワーク（ＰＬＭＮ）のタイミング関連付けを防ぐこと、または前記第１のＲＡＴに対してＰＬＭＮ識別情報（ＩＤ）を禁止することのうちの１つまたは複数を備える、をさらに備える、請求項１に記載の方法。
【請求項７】
前記１つまたは複数のシステム走査結果がＲＡＴ信号品質情報を備える、請求項１に記載の方法。
【請求項８】
ノードがノードのサブセットの一部であると決定するための手段と、ここにおいて、ノードの前記サブセット中の各ノードが、ノードの前記サブセットを含むノードのセットのための１つまたは複数のシステム走査を実施し、ここにおいて、前記ノードが、前記ノードの１つまたは複数の特性に少なくとも部分的に基づいてノードの前記サブセットの一部であると決定され、
前記ノードがノードの前記サブセットの一部であると決定したことに応答して、前記ノードによって１つまたは複数の無線アクセス技術（ＲＡＴ）に対する前記１つまたは複数のシステム走査を実施するための手段と、
前記１つまたは複数のＲＡＴに対する前記１つまたは複数のシステム走査からの１つまたは複数のシステム走査結果を取得するための手段と、
前記１つまたは複数のシステム走査結果をノードの前記セットに送信するための手段と、ここにおいて、ノードの前記セット中の各ノードが、前記１つまたは複数のシステム走査結果に少なくとも部分的に基づいて、第１のＲＡＴから第２のＲＡＴに切り替えるべきかどうかを決定するように構成された、を備える、
通信のための装置。
【請求項９】
ノードによって、前記ノードがノードの第１のサブセットの一部であると決定することと、ここにおいて、前記第１のサブセット中の各ノードが、１つまたは複数の無線アクセス技術（ＲＡＴ）に対する１つまたは複数のシステム走査を実施することを禁止され、ここにおいて、前記決定することが、前記ノードの１つまたは複数の特性に少なくとも部分的に基づき、
前記ノードによって、ノードの第２のサブセットによって送信された１つまたは複数のシステム走査結果を監視することと、ここにおいて、前記第２のサブセット中の各ノードが、ノードの前記第１のサブセットを少なくとも含むノードのセットのための１つまたは複数のシステム走査を実施し、
前記ノードによって、ノードの前記第２のサブセットから前記１つまたは複数のシステム走査結果を受信することと、
前記ノードによって、前記１つまたは複数のシステム走査結果に少なくとも部分的に基づいて、第１のＲＡＴから第２のＲＡＴに切り替えるべきかどうかを決定することと
を備える、通信の方法。
【請求項１０】
ノードの前記第２のサブセットが、ノードの前記セットのためのＲＡＴごとのシステム走査ごとに消費される電力量を最小限に抑える１つまたは複数のノードを備える、請求項９に記載の方法。
【請求項１１】
前記１つまたは複数のシステム走査を実施することが、第１のＲＡＴについてシステム走査を実施することを備え、ここにおいて、ノードの前記第２のサブセット中の各ノードが、それぞれのＲＡＴについて前記システム走査を並列に実施する、請求項９に記載の方法。
【請求項１２】
ノードの前記第２のサブセットから前記１つまたは複数のシステム走査結果を受信することが、前記ノードとノードの前記第２のサブセット中の前記ノードとの間のピアツーピア（Ｐ２Ｐ）接続性を介して前記１つまたは複数のシステム走査結果を受信することを備え、ここにおいて、前記Ｐ２Ｐ接続性が、Ｂｌｕｅｔｏｏｔｈ、ワイヤレスローカルエリアネットワーク（ＷＬＡＮ）、ワイヤレスワイドエリアネットワーク（ＷＷＡＮ）、ＷｉＦｉ、ロングタームエボリューション（ＬＴＥ）、およびＤ−ｂｕｓのうちの１つまたは複数を介した接続性を備える、請求項９に記載の方法。
【請求項１３】
前記ノードによって、ノードの前記第２のサブセットの一部である１つまたは複数のノードから１つまたは複数の後続のシステム走査結果を受信することと、
前記ノードによって、前記１つまたは複数のシステム走査結果および前記１つまたは複数の後続のシステム走査結果のうちの一方または両方に少なくとも部分的に基づいて、前記第１のＲＡＴから前記第２のＲＡＴに切り替えるべきかどうかを決定することと、ここにおいて、前記第１のＲＡＴから前記第２のＲＡＴに切り替えることが、前記第１のＲＡＴを無効にすること、前記第１のＲＡＴに対して関連するパブリックランドモバイルネットワーク（ＰＬＭＮ）のタイミング関連付けを防ぐこと、および前記第１のＲＡＴに対してＰＬＭＮ識別情報（ＩＤ）を禁止することのうちの１つまたは複数を備える、
をさらに備える、請求項９に記載の方法。
【請求項１４】
ノードがノードの第１のサブセットの一部であると決定するための手段と、ここにおいて、前記第１のサブセット中の各ノードが、１つまたは複数の無線アクセス技術（ＲＡＴ）に対する１つまたは複数のシステム走査を実施することを禁止され、ここにおいて、前記決定することが、前記ノードの１つまたは複数の特性に少なくとも部分的に基づき、  ノードの第２のサブセットによって送信された１つまたは複数のシステム走査結果を監視するための手段と、ここにおいて、前記第２のサブセット中の各ノードが、ノードの前記第１のサブセットを少なくとも含むノードのセットのための１つまたは複数のシステム走査を実施し、
ノードの前記第２のサブセットから前記１つまたは複数のシステム走査結果を受信するための手段と、
前記１つまたは複数のシステム走査結果に少なくとも部分的に基づいて、第１のＲＡＴから第２のＲＡＴに切り替えるべきかどうかを決定するための手段と
を備える、通信のための装置。
【請求項１５】
少なくとも１つのコンピュータに、請求項１乃至７および９乃至１３のいずれかに記載のステップを行わせるための命令を備える、コンピュータプログラム。
【発明の詳細な説明】
【技術分野】
【０００１】
優先権の主張
[0001]本特許出願は、本出願の譲受人に譲渡され、参照により本明細書に明確に組み込まれる、２０１５年３月２４日に出願された、「METHODS AND APPARATUS FOR COORDINATING SYSTEM SELECTION AMONG A SET OF NODES」と題する米国非仮出願第１４／６６６，９２８号、および２０１４年３月２８日に出願された、「METHODS AND APPARATUS FOR COORDINATING SYSTEM SELECTION AMONG A SET OF NODES」と題する米国仮出願第６１／９７２，０６６号の優先権を主張する。
【０００２】
[0002]本開示は、一般に通信システムに関し、より詳細には、ノードのセットの間のシステム選択を協調させることに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標）：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]いくつかのワイヤレス通信ネットワークでは、ネットワークとの間でデータを通信する際の利用可能な通信リソースの非効率的な使用は、ワイヤレス通信性能および品質の著しい劣化を生じることがある。特に、ノードの間の非効率的なシステム選択は過剰な電力消費と長いシステム選択時間とを生じることがある。さらに、そのようなシナリオでは、システム選択が実施される様式を改善する際に制限が存在し得る。したがって、システム選択の改善が望まれる。
【発明の概要】
【０００６】
[0006]以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
[0007]一態様によれば、本方法は、ワイヤレス通信中にノードのセットの間のシステム選択を協調させることに関する。説明する態様は、ノードがノードのサブセットの一部であると決定することと、ここにおいて、ノードのサブセット中の各ノードが、ノードのサブセットを含むノードのセットのための１つまたは複数のシステム走査を実施し、ここにおいて、ノードが、ノードの１つまたは複数の特性に少なくとも部分的に基づいてノードのサブセットの一部であると決定され、ノードがノードのサブセットの一部であると決定したことに応答して、そのノードによって１つまたは複数の無線アクセス技術（ＲＡＴ：Radio Access Technology）に対する１つまたは複数のシステム走査を実施することと、１つまたは複数のＲＡＴに対する１つまたは複数のシステム走査からの１つまたは複数のシステム走査結果を取得することと、１つまたは複数のシステム走査結果をノードのセットに送信することと、ここにおいて、ノードのセット中の各ノードが、１つまたは複数のシステム走査結果に少なくとも部分的に基づいて、第１のＲＡＴから第２のＲＡＴに切り替えるべきかどうかを決定するように構成された、を含む。
【０００８】
[0008]別の態様では、コンピュータ実行可能コードを記憶するコンピュータ可読媒体は、ワイヤレス通信中にノードのセットの間のシステム選択を協調させるためのコードに関する。説明する態様は、ノードがノードのサブセットの一部であると決定するためのコードと、ここにおいて、ノードのサブセット中の各ノードが、ノードのサブセットを含むノードのセットのための１つまたは複数のシステム走査を実施し、ここにおいて、ノードが、ノードの１つまたは複数の特性に少なくとも部分的に基づいてノードのサブセットの一部であると決定され、ノードがノードのサブセットの一部であると決定したことに応答して、そのノードによって１つまたは複数の無線アクセス技術（ＲＡＴ）に対する１つまたは複数のシステム走査を実施するためのコードと、１つまたは複数のＲＡＴに対する１つまたは複数のシステム走査からの１つまたは複数のシステム走査結果を取得するためのコードと、１つまたは複数のシステム走査結果をノードのセットに送信するためのコードと、ここにおいて、ノードのセット中の各ノードが、１つまたは複数のシステム走査結果に少なくとも部分的に基づいて、第１のＲＡＴから第２のＲＡＴに切り替えるべきかどうかを決定するように構成された、を含む。
【０００９】
[0009]さらなる態様では、装置は、ワイヤレス通信中にノードのセットの間のシステム選択を協調させることに関する。説明する態様は、ノードがノードのサブセットの一部であると決定するための手段と、ここにおいて、ノードのサブセット中の各ノードが、ノードのサブセットを含むノードのセットのための１つまたは複数のシステム走査を実施し、ここにおいて、ノードが、ノードの１つまたは複数の特性に少なくとも部分的に基づいてノードのサブセットの一部であると決定され、ノードがノードのサブセットの一部であると決定したことに応答して、そのノードによって１つまたは複数の無線アクセス技術（ＲＡＴ）に対する１つまたは複数のシステム走査を実施するための手段と、１つまたは複数のＲＡＴに対する１つまたは複数のシステム走査からの１つまたは複数のシステム走査結果を取得するための手段と、１つまたは複数のシステム走査結果をノードのセットに送信するための手段と、ここにおいて、ノードのセット中の各ノードが、１つまたは複数のシステム走査結果に少なくとも部分的に基づいて、第１のＲＡＴから第２のＲＡＴに切り替えるべきかどうかを決定するように構成された、を含む。
【００１０】
[0010]別の態様では、装置は、ワイヤレス通信中にノードのセットの間のシステム選択を協調させることに関する。説明する態様は、ノードがノードのサブセットの一部であると決定するように構成された決定構成要素と、ここにおいて、ノードのサブセット中の各ノードが、ノードのサブセットを含むノードのセットのための１つまたは複数のシステム走査を実施し、ここにおいて、ノードが、ノードの１つまたは複数の特性に少なくとも部分的に基づいてノードのサブセットの一部であると決定さる、ノードがノードのサブセットの一部であると決定したことに応答して、そのノードによって１つまたは複数の無線アクセス技術（ＲＡＴ）に対する１つまたは複数のシステム走査を実施するように構成された走査構成要素と、１つまたは複数のＲＡＴに対する１つまたは複数のシステム走査からの１つまたは複数のシステム走査結果を取得するように構成されたシステム選択構成要素と、ここにおいて、システム選択構成要素が、１つまたは複数のシステム走査結果をノードのセットに送信するようにさらに構成され、ここにおいて、ノードのセット中の各ノードが、１つまたは複数のシステム走査結果に少なくとも部分的に基づいて、第１のＲＡＴから第２のＲＡＴに切り替えるべきかどうかを決定するように構成された、を含む。
【００１１】
[0011]別の態様では、本方法は、ワイヤレス通信中にノードのセットの間のシステム選択を協調させることに関する。説明する態様は、ノードがノードの第１のサブセットの一部であると決定することと、ここにおいて、第１のサブセット中の各ノードが、１つまたは複数の無線アクセス技術（ＲＡＴ）に対する１つまたは複数のシステム走査を実施することを禁止され、ここにおいて、決定することが、ノードの１つまたは複数の特性に少なくとも部分的に基づき、ノードの第２のサブセットによって送信された１つまたは複数のシステム走査結果を監視することと、ここにおいて、第２のサブセット中の各ノードが、ノードの第１のサブセットを少なくとも含むノードのセットのための１つまたは複数のシステム走査を実施し、ノードの第２のサブセットから１つまたは複数のシステム走査結果を受信することと、１つまたは複数のシステム走査結果に少なくとも部分的に基づいて、第１のＲＡＴから第２のＲＡＴに切り替えるべきかどうかを決定することとを含む。
【００１２】
[0012]別の態様では、コンピュータ実行可能コードを記憶するコンピュータ可読媒体は、ワイヤレス通信中にノードのセットの間のシステム選択を協調させるためのコードに関する。説明する態様は、ノードがノードの第１のサブセットの一部であると決定するためのコードと、ここにおいて、第１のサブセット中の各ノードが、１つまたは複数の無線アクセス技術（ＲＡＴ）に対する１つまたは複数のシステム走査を実施することを禁止され、ここにおいて、決定することが、ノードの１つまたは複数の特性に少なくとも部分的に基づき、ノードの第２のサブセットによって送信された１つまたは複数のシステム走査結果を監視するためのコードと、ここにおいて、第２のサブセット中の各ノードが、ノードの第１のサブセットを少なくとも含むノードのセットのための１つまたは複数のシステム走査を実施し、ノードの第２のサブセットから１つまたは複数のシステム走査結果を受信するためのコードと、１つまたは複数のシステム走査結果に少なくとも部分的に基づいて、第１のＲＡＴから第２のＲＡＴに切り替えるべきかどうかを決定するためのコードとを含む。
【００１３】
[0013]さらなる態様では、装置は、ワイヤレス通信中にノードのセットの間のシステム選択を協調させることに関する。説明する態様は、ノードがノードの第１のサブセットの一部であると決定するための手段と、ここにおいて、第１のサブセット中の各ノードが、１つまたは複数の無線アクセス技術（ＲＡＴ）に対する１つまたは複数のシステム走査を実施することを禁止され、ここにおいて、決定することが、ノードの１つまたは複数の特性に少なくとも部分的に基づき、ノードの第２のサブセットによって送信された１つまたは複数のシステム走査結果を監視するための手段と、ここにおいて、第２のサブセット中の各ノードが、ノードの第１のサブセットを少なくとも含むノードのセットのための１つまたは複数のシステム走査を実施し、ノードの第２のサブセットから１つまたは複数のシステム走査結果を受信するための手段と、１つまたは複数のシステム走査結果に少なくとも部分的に基づいて、第１のＲＡＴから第２のＲＡＴに切り替えるべきかどうかを決定するための手段とを含む。
【００１４】
[0014]別の態様では、装置は、ワイヤレス通信中にノードのセットの間のシステム選択を協調させることに関する。説明する態様は、決定構成要素が、ノードがノードの第１のサブセットの一部であると決定するように構成され、ここにおいて、第１のサブセット中の各ノードが、１つまたは複数の無線アクセス技術（ＲＡＴ）に対する１つまたは複数のシステム走査を実施することを禁止され、ここにおいて、決定することが、ノードの１つまたは複数の特性に少なくとも部分的に基づき、監視構成要素が、ノードの第２のサブセットによって送信された１つまたは複数のシステム走査結果を監視するように構成され、ここにおいて、第２のサブセット中の各ノードが、ノードの第１のサブセットを少なくとも含むノードのセットのための１つまたは複数のシステム走査を実施し、システム選択構成要素が、ノードの第２のサブセットから１つまたは複数のシステム走査結果を受信するように構成され、切替え構成要素が、１つまたは複数のシステム走査結果に少なくとも部分的に基づいて、第１のＲＡＴから第２のＲＡＴに切り替えるべきかどうかを決定するように構成された、を含む。
【００１５】
[0015]上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１６】
[0016]本開示の特徴、性質、および利点は、全体を通じて同様の参照符号が同様のものを指す図面とともに、以下に記載する発明を実施するための形態を読めばより明らかになろう。
【図面の簡単な説明】
【００１７】
【図１】[0017]本開示の一態様による、ネットワークアーキテクチャの一例を示す図。
【図２】[0018]本開示の一態様による、アクセスネットワークの一例を示す図。
【図３】[0019]本開示の一態様による、ＬＴＥにおけるダウンリンク（ＤＬ）フレーム構造の一例を示す図。
【図４】[0020]本開示の一態様による、ＬＴＥにおけるＵＬフレーム構造の一例を示す図。
【図５】[0021]本開示の一態様による、ユーザおよび制御プレーンのための無線プロトコルアーキテクチャの一例を示す図。
【図６】[0022]本開示の一態様による、アクセスネットワーク中の発展型ノードＢおよびユーザ機器の一例を示す図。
【図７】[0023]システム選択構成要素の一態様を含む通信ネットワークの概略図。
【図８】[0024]本開示の一態様、たとえば、図７による、システム選択特徴の一態様のフローチャート。
【図９】[0025]本開示の一態様、たとえば、図７による、システム選択特徴の別の態様のフローチャート。
【図１０】[0026]本開示の一態様、たとえば、図７による、例示的な装置中の異なるモジュール／手段／構成要素間のデータフローを示す概念データフロー図。
【図１１】[0027]本開示の一態様、たとえば、図７による、処理システムを採用する装置のためのハードウェア実装形態の一例を示す図。
【発明を実施するための形態】
【００１８】
[0028]添付の図面に関して以下に記載する発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構成要素をブロック図の形式で示す。一態様では、本明細書で使用する「構成要素」という用語は、システムを構成する部分のうちの１つであり得、ハードウェアまたはソフトウェアであり得、他の構成要素に分割され得る。
【００１９】
[0029]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００２０】
[0030]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実施するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２１】
[0031]したがって、１つまたは複数の例示的な態様では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せもコンピュータ可読媒体の範囲内に含まれるべきである。
【００２２】
[0032]本明細書で使用する「スモールセル」（または「スモールカバレージセル」）という用語は、アクセスポイントまたはアクセスポイントの対応するカバレージエリアを指すことがあり、ここで、この場合のアクセスポイントは、たとえば、マクロネットワークアクセスポイントまたはマクロセルの送信電力あるいはカバレージエリアと比較して、比較的低い送信電力あるいは比較的小さいカバレージを有する。たとえば、マクロセルは、限定はしないが、半径数キロメートルなど、比較的大きい地理的エリアをカバーし得る。対照的に、スモールセルは、限定はしないが、自宅、建築物、または建築物のフロアなど、比較的小さい地理的エリアをカバーし得る。したがって、スモールセルは、限定はしないが、基地局（ＢＳ）、アクセスポイント、フェムトノード、フェムトセル、ピコノード、マイクロノード、ノードＢ、発展型ノードＢ（ｅＮＢ）、ホームノードＢ（ＨＮＢ：home Node B）またはホーム発展型ノードＢ（ＨｅＮＢ：home evolved Node B）など、装置を含み得る。したがって、本明細書で使用する「スモールセル」という用語は、マクロセルと比較して比較的低い送信電力および／または比較的小さいカバレージエリアセルを指す。
【００２３】
[0033]本態様は、概して、ワイヤレス通信システムにおいて、ユーザ機器など、ノードによって実施されるマルチモードシステム選択（ＭＭＳＳ：multi-mode system selection）プロシージャに関する。ＭＭＳＳは、ノードが、複数の規格（たとえば、３ＧＰＰ、３ＧＰＰ２、ＷｉＭＡＸ（登録商標））にわたって特定の無線エアインターフェース（ＡＩ：air-interface）を選択するためのノード選好に優先度を付けることを可能にする。ＭＭＳＳでは、ノードは、キャリアの選好に基づいてｃｄｍａ２０００システムと非ｃｄｍａ２０００システム（たとえば、ＬＴＥ、ＷｉＭＡＸ）とを選択し、したがって取得することができる。詳細には、いくつかのワイヤレス通信システムでは、ノードは、互いとは無関係にＭＭＳＳプロシージャを実施する。しかしながら、これらのノードは、それらが互いに極めて近接していることにより、互いに同じシステムネットワーク状態を経験し得る。たとえば、あるノードは、第２の無線アクセス技術（ＲＡＴ）と比較してより高い優先度をもつ第１のＲＡＴについての第１の信号品質を取得し得るが、別のノードは、より低い優先度をもつ第２のＲＡＴについての第２の信号品質を取得し得る。それにもかかわらず、これらのノードは、通常、（たとえば、両方のノードが、システム選択決定を行う際に第１のＲＡＴと第２のＲＡＴの両方からの信号品質測定値を使用するシナリオにおいて）システムを効率的に選択するために互いにこの情報を交換することができないであろう。その上、信号品質測定値の数に応じてノード電力が線形的に消耗され、したがって、独立したＭＭＳＳは非効率的である。
【００２４】
[0034]したがって、本方法および装置は、ノードのセットがそれらの現在のＲＡＴから別のＲＡＴに切り替えるべきかどうかを決定し得るように、ノードが、システム走査を実施し、システム走査結果をセットの残りに送信することを許される、ノードのサブセットの一部であるかどうかを決定し得る。したがって、いくつかの態様では、本方法および装置は、たとえば、いくつかのノードのみがシステム走査を実施し、他のノードがシステム走査を実施しないことを可能にするための、またはノードのセットの間でシステム走査を分配するための、現在のソリューションと比較して効率的なソリューションを提供し得る。さらに、本方法および装置は、ノードのセットの間の非効率的な独立したＳＳＭＳを克服するための機構を提供し得る。
【００２５】
[0035]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、ノードのセットの間のシステム選択を協調させるように構成されたシステム選択構成要素７２０（図７）を含み得る１つまたは複数のＵＥ１０２を含み得る。さらに、ＥＰＳ１００、発展型ＵＭＴＳ地上波無線アクセスネットワーク（Ｅ−ＵＴＲＡＮ：Evolved UMTS Terrestrial Radio Access Network）１０４、発展型パケットコア（ＥＰＣ：Evolved Packet Core）１１０、ホーム加入者サーバ（ＨＳＳ：Home Subscriber Server）１２０、および事業者のＩＰサービス１２２。ＥＰＳは他のアクセスネットワークと相互接続することができるが、簡単のために、それらのエンティティ／インターフェースは図示していない。図示のように、ＥＰＳはパケット交換サービスを提供するが、当業者が容易に諒解するように、本開示全体にわたって提示する様々な概念は、回線交換サービスを提供するネットワークに拡張され得る。
【００２６】
[0036]Ｅ−ＵＴＲＡＮは発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６は、基地局、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２７】
[0037]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含む。
【００２８】
[0038]図２は、ＵＥ２０６のうちの１つまたは複数が、本明細書で説明するようにシステム選択構成要素７２０（図７）を含み得る、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２９】
[0039]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。
【００３０】
[0040]これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ）、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存することになる。
【００３１】
[0041]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データスチームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００３２】
[0042]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００３３】
[0043]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散（spread-spectrum）技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００３４】
[0044]図３は、本明細書で説明するように、システム選択構成要素７２０（図７）を含み得るＵＥ７０２（図７）など、ＵＥによって受信され得る、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域において１２個の連続するサブキャリアを含んでおり、各ＯＦＤＭシンボル中のノーマルサイクリックプレフィックスの場合、時間領域において７個の連続するＯＦＤＭシンボルを含んでおり、すなわち８４個のリソース要素を含んでいる。拡張サイクリックプレフィックスの場合、リソースブロックは、時間領域において６個の連続するＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、システム選択構成要素７２０を含む図７のＵＥ７０２のようなＵＥが受信するリソースブロックが多いほど、また変調方式が高いほど、ＵＥのデータレートは高くなる。
【００３５】
[0045]図４は、本明細書で説明するように、システム選択構成要素７２０（図７）を含み得るＵＥ７０２（図７）など、ＵＥによって送信され得る、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００３６】
[0046]システム選択構成要素７２０を含むＵＥ７０２（図７）など、ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００３７】
[0047]初期システムアクセスを実施し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みのみを行うことができる。
【００３８】
[0048]図５は、ＬＴＥにおけるユーザプレーンおよび制御プレーンのための無線プロトコルアーキテクチャの一例を示す図５００である。無線プロトコルアーキテクチャは、システム選択構成要素７２０を含むＵＥ７０２（図７）のようなＵＥ、およびｅＮＢによって使用され得、無線アーキテクチャは、レイヤ１、レイヤ２、およびレイヤ３という３つのレイヤを含む。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３９】
[0049]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００４０】
[0050]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００４１】
[0051]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００４２】
[0052]図６は、アクセスネットワーク中でＵＥ６５０と通信しているｅＮＢ６１０のブロック図である。ＵＥ６５０は、図７のシステム選択構成要素７２０を含むＵＥ７０２と同じまたは同様であり得る。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００４３】
[0053]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００４４】
[0054]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実施する。複数の空間ストリームがＵＥ６５０に宛てられた場合、それらはＲＸプロセッサ６５６によって単一のＯＦＤＭシンボルストリームに合成され得る。
【００４５】
[0055]ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００４６】
[0056]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担当する。
【００４７】
[0057]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００４８】
[0058]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４９】
[0059]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００５０】
[0060]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用する誤り検出を担当する。たとえば、システム選択構成要素７２０の機能の一部または全部は、ＲＸプロセッサ６５６、コントローラ／プロセッサ６５９、チャネル推定器６５８、およびＴＸプロセッサ６６８のうちの１つまたは複数において実装され得る。
【００５１】
[0061]図７を参照すると、一態様では、ワイヤレス通信システム７００は、少なくとも第１のネットワークエンティティ７０８および第２のネットワークエンティティ７１０の通信カバレージ中に少なくとも１つの（本明細書ではノード７０２とも呼ぶ）ＵＥ７０２を含む。ＵＥ７０２は、ネットワークエンティティ７０８を介してネットワーク７１２と通信し得る。他の態様では、ＵＥ７０２、７０４、および７０６を含む複数のＵＥが、第１のネットワークエンティティ７０８と第２のネットワークエンティティ７１０とを含む１つまたは複数のネットワークエンティティをもつ通信カバレージ中にあり得る。たとえば、ＵＥ７０２は、アップリンクおよびダウンリンクのうちの一方または両方上で１つまたは複数の通信チャネル７１６および／または７１８を使用してネットワークエンティティ７０８と通信し得る。そのような態様では、通信チャネル７１６および／または７１８は、１つまたは複数の無線アクセス技術（ＲＡＴ）タイプ（たとえば、Ｂｌｕｅｔｏｏｔｈ（登録商標）、Ｗｉ−Ｆｉ、および３Ｇ、４Ｇおよび／またはＬＴＥ）に基づいて通信を利用するかまたは可能にし得る。これらの態様では、第１のネットワークエンティティ７０８および第２のネットワークエンティティ７１０は、それぞれのセルの各々について同じＲＡＴ規格または異なるＲＡＴ規格であり得る、任意のＲＡＴ規格に従ってそれぞれ動作し得る。たとえば、限定として解釈されるべきでない１つの使用事例では、第１のネットワークエンティティ７０８は、ＷＣＤＭＡ（登録商標）、ＧＳＭ、ＬＴＥ、およびそれらの変形態のうちの１つに従って動作していることがあり、第２のネットワークエンティティ７１０は、ＷＣＤＭＡ、ＧＳＭ、ＬＴＥ、およびそれらの変形態のうちの１つに従って動作していることがある。その上、各ネットワークエンティティ（たとえば、第１のネットワークエンティティ７０８および第２のネットワークエンティティ７１０）は、ワイヤレスローカルエリアネットワーク（ＷＬＡＮ）とワイヤレスワイドエリアネットワーク（ＷＷＡＮ）とを含む２つまたはそれ以上のＲＡＴ規格に従って動作し得る。
【００５２】
[0062]ＵＥ７０２は、ネットワークエンティティ７０８および７１０において含まれるかまたは展開される、１つまたは複数のセルと通信し得ることを理解されたい。他の態様では、第１のネットワークエンティティ７０８は代替的にセルと呼ばれることがあり、ＵＥ７０２は、そのセルと無線リソース制御（ＲＲＣ）接続状態を維持する。さらに、ＵＥ７０２は、１つまたは複数の通信チャネル７１６および／または７１８上でネットワークエンティティ７０８におよび／またはそれからワイヤレス通信を送信および／または受信し得る。さらに、ＵＥ７０２は、第１のネットワークエンティティ７０８および／または第２のネットワークエンティティ７１０を介してネットワーク７１２と通信し得る。ＵＥ７０２は、ネットワーク７１２内に位置するかまたはそれと通信しているＩＰマルチメディアサブシステム（ＩＭＳ）サーバ７１４と通信し得る。
【００５３】
[0063]いくつかの態様では、ＵＥ７０２は、当業者によって（ならびに本明細書において互換的に）、ノード、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、ワイヤレス送信／受信ユニット、または何らかの他の好適な用語で呼ばれることもある。
【００５４】
[0064]さらに、ネットワークエンティティ７０８および／または７１０は、マクロセル、スモールセル、ピコセル、フェムトセル、アクセスポイント、リレー、ノードＢ、モバイルノードＢ、（たとえば、ＵＥ７０２とピアツーピアまたはアドホックモードで通信する）ＵＥ、またはＵＥ７０２においてワイヤレスネットワークアクセスを与えるためにＵＥ７０２と通信することができる実質的に任意のタイプの構成要素であり得る。
【００５５】
[0065]本態様によれば、ＵＥ７０２は１つまたは複数のノードを含み得るか、またはＵＥ７０２はノードと見なされ得る。たとえば、ＵＥ７０２が１つのＲＡＴに従って通信することが可能である場合、ＵＥ７０２は、１つのノードであるかまたはそれを含むと見なされ得、あるいはＵＥ７０２が２つのＲＡＴに従って通信することが可能である場合、ＵＥ７０２は、２つのノード（たとえば、第１のＲＡＴに関連する第１のノード、および第２のＲＡＴに関連する第２のノード）であるかまたはそれらを含むと見なされ得る。したがって、簡単のために、本明細書で使用するＵＥという用語はノードとして解釈される。ノード７０２はシステム選択構成要素７２０を含み得、システム選択構成要素７２０は、複数のノード（たとえば、ノード７０２、７０４、および／または７０６）の間のシステム選択を協調させるように構成された様々な構成要素および／または副構成要素を含み得る。詳細には、システム選択構成要素７２０は、ノード７０２がノードの協働セットの一部であり、システム走査を実施し、システム走査結果を生成し送信すべきなのか、またはノードのセットの一部である他のノードによって送信されたシステム走査結果を単に監視すべきなのかを決定するように構成され得る。システム走査結果に基づいて、システム選択構成要素７２０は、それの現在のＲＡＴから別のＲＡＴに切り替えるためのシステム選択プロシージャを実施すべきかどうかを決定するように構成され得る。したがって、システム選択構成要素７２０は、電力とシステム取得時間とを低減するために、複数のノード７０２、７０４、および／または７０６の間の効率的なマルチモードシステム選択（ＭＭＳＳ）を可能にする。本明細書で使用するＭＭＳＳは、複数の異なるＲＡＴ間で選択することを指し、ここで、異なるＲＡＴの各々は異なるモードと見なされ得る。
【００５６】
[0066]一態様では、システム選択構成要素７２０はマスタノード構成要素７２２を含み得、マスタノード構成要素７２２は、ノード（たとえば、ノード７０２、７０４、および／または７０６）が、ノードのサブセットの一部であり、１つまたは複数のＲＡＴ（たとえば、第１のＲＡＴ７４８、第２のＲＡＴ７５０、および／または第ＮのＲＡＴ７５２）に対する１つまたは複数のシステム走査を実施すると決定するように構成され得る。たとえば、ノードが、走査を実施することを許可されるノードのサブセットの一部であるとき、そのノードはマスタノードと呼ばれ、ノードが、走査を実施することを禁止されるノードのサブセットの一部であるとき、そのノードはマスタノードと呼ばれない。詳細には、マスタノード構成要素７２２は、１つまたは複数の特性に基づいて、ノードがシステム走査を実施することを可能にするかまたは禁止するように構成され得る。ノードのサブセットがシステム走査を実施することを禁止することによって、マスタノード構成要素７２２は、システム選択に必要な電力とシステム取得時間とを低減することが可能になる。
【００５７】
[0067]そのような態様では、マスタノード構成要素７２２は決定構成要素７２４を含み得、決定構成要素７２４は、ノード（たとえば、ノード７０２）が、ノードの第１のサブセット７２８とノードの第２のサブセット７３０とを含むノードのセット７２６のための１つまたは複数のシステム走査を実施することを許されるノードのサブセット（たとえば、ノードの第１のサブセット７２８）の一部であるかどうかを決定するように構成され得る。逆に、決定構成要素７２４は、ノード（たとえば、ノード７０２）が、１つまたは複数のシステム走査を実施することを禁止されるノードのサブセット（たとえば、ノードの第２のサブセット７３０）の一部であるかどうかを決定するように構成される。
【００５８】
[0068]いくつかの態様では、決定構成要素７２４は、ノード（たとえば、ノード７０２）の１つまたは複数の特性に少なくとも部分的に基づいて、ノード７０２が、ノードのセット７２６のための１つまたは複数のシステム走査を実施することを許されるノードのサブセット（たとえば、ノードの第１のサブセット７２８）の一部であるかどうかの決定を行うように構成され得る。いくつかの事例では、１つまたは複数の特性は、ノードのセット７２６中のノード（たとえば、ノード７０２、７０４、および／または７０６）との１つまたは複数のＲＡＴ類似性、ＲＡＴ（たとえば、第１のＲＡＴ７４８、第２のＲＡＴ、および／または第ＮのＲＡＴ７５２）ごとのシステム走査ごとに消費される電力量、ノード７０２が接続状態にあるかどうか、および／またはノード７０２がボイス能力を有するかどうかを含み得る。いくつかの事例では、ノードの第１のサブセット７２８は、ノードのセット７２６のためのＲＡＴごとのシステム走査ごとに消費される電力量を最小限に抑える１つまたは複数のノードを備える。一事例では、たとえば、ＲＡＴ類似性は、限定はしないが、ボイスオーバーパケット交換（ＰＳ）セッション（ＶｏＰＳ）能力など、ボイス中心ノードに対応し得る。さらに、別の事例では、たとえば、システム走査を実施するために消費される電力が複数のノードにわたって異なる場合、ＲＡＴごとのシステム走査ごとに最小電力量を消費するノードが、ノードのセット７２６のための１つまたは複数のシステム走査を実施すると決定され得る。さらなる事例では、たとえば、接続状態にないノードが、ノードのセット７２６のための１つまたは複数のシステム走査を実施すると決定され得る。一態様では、ノード（たとえば、ノード７０２）が、ノードのセット７２６のための１つまたは複数のシステム走査を実施することを許されるノードのサブセット（たとえば、ノードの第１のサブセット７２８）の一部であるかどうかを決定するために、１つまたは複数の特性の組合せが使用され得る。
【００５９】
[0069]たとえば、ノードのセット７２６は、ボイス中心であるノード（たとえば、ノードの第１のセット７２８）を含み得、ノードが、ボイス中心であるというＲＡＴ類似性を共有していることにより、ボイス中心である他のノード（たとえば、ノードの第２のセット７３０）のみと情報（たとえば、システム走査結果７３４）を共有することに関心があり得る。いくつかの事例では、ボイス中心の能力は、ＬＴＥタイミングアドバンス（ＴＡ：timing advance）、またはＬＴＥにおいてセッション開始ブロック（ＳＩＢ：Session Initiation Block）２中で広告されるサービス固有アクセス制御マルチメディアテレフォニー（ＳＳＡＣＭＭＴＥＬ：Service Specific Access Control Multimedia Telephony）のＶｏＰＳ能力を含み得る。ＭＭＴＥＬは、ボイス、リアルタイムビデオ、テキスト、ファイル転送、ならびにピクチャ、オーディオおよびビデオクリップの共有など、メディア能力を使用して、集束、固定、およびモバイルリアルタイムマルチメディア通信を提供する、ＩＰマルチメディアサブシステム（ＩＭＳ）に基づくグローバル規格である。ＭＭＴＥＬでは、ユーザは、セッション中にメディアを追加およびドロップする能力を有する。ＳＳＡＣは、アイドルモードからのモバイル発信セッション要求のために、テレフォニーサービス（たとえば、ＭＭＴＥＬ）に独立したアクセス制御を適用するために使用される。別の例では、決定構成要素７２４は、ＲＡＴごとのシステム走査ごとに最小電力量を消費し、接続状態にないノードが、ノードの第１のセット７２８に属すると決定するように構成され得る。したがって、最小電力量を消費し、アイドルモードにあるノードは、それが１つまたは複数のシステム走査を最も効率的に実施し得るノードであるので選定される。
【００６０】
[0070]さらに、マスタノード構成要素７２２は走査構成要素７３２を含み得、走査構成要素７３２は、ノード７０２の１つまたは複数のＲＡＴ（たとえば、第１のＲＡＴ７４８、第２のＲＡＴ、および／または第ＮのＲＡＴ７５２）に対する１つまたは複数のシステム走査を実施するように構成され得る。いくつかの事例では、走査構成要素７３２は、決定構成要素７２４が、ノード７０２がノードの第１のサブセット７２８の一部であると決定したことに応答して、１つまたは複数のシステム走査を実施するように構成され得る。他の事例では、１つまたは複数のシステム走査を実施することは、第１のＲＡＴ７４８について並列システム走査を実施することを備え、ここにおいて、ノードの第１のサブセット７２８中の各ノードは、それぞれのＲＡＴ（たとえば、第１のＲＡＴ７４８、第２のＲＡＴ、および／または第ＮのＲＡＴ７５２）について並列システム走査を実施する。実施した後、走査構成要素７３２は、１つまたは複数のＲＡＴ（たとえば、第１のＲＡＴ７４８、第２のＲＡＴ、および／または第ＮのＲＡＴ７５２）に対する１つまたは複数のシステム走査結果７３４を取得するように構成され得る。いくつかの事例では、システム走査結果７３４は、限定はしないが、信号品質レベル（ｄＢ）など、ＲＡＴ信号品質情報を備え得る。
【００６１】
[0071]したがって、システム選択構成要素７２０はまた、１つまたは複数のシステム走査結果７３４をノードの第１のセット７２８中の他のノードおよびノードの第２のセット７３０に送信するように構成され得る。いくつかの事例では、システム選択構成要素７２０は、ノード７０２とノードのセット７２６中のノード（たとえば、ノード７０４および／または７０６）との間のピアツーピア（Ｐ２Ｐ）接続性を介して１つまたは複数のシステム走査結果７３４を送信し得る。いくつかの態様では、Ｐ２Ｐ接続性（たとえば、通信チャネル７１６）は、Ｂｌｕｅｔｏｏｔｈ、ワイヤレスローカルエリアネットワーク（ＷＬＡＮ）、ワイヤレスワイドエリアネットワーク（ＷＷＡＮ）、ＷｉＦｉ（登録商標）、ＬＴＥ、およびＤ−ｂｕｓのうちの１つまたは複数を介した接続性を備え得る。
【００６２】
[0072]他の事例では、ノードのセット７２６中のすべてのノードがＰ２Ｐ接続性を介して互いに到達することができるとは限らない場合、通信チャネル７１８を介してノードのセット７２６中のノードを接続するためにアドホックネットワークが使用され得る。いくつかの態様では、スペクトル効率に基づく支配セットが、ノードのセット７２６間のマルチキャストツリーをセットアップするために使用され得る。支配セットを識別する理由は、それらのセット中のノードがマスタノードとして使用される可能性があるからである。その上、ノードのセット７２６がコロケートされている（たとえば、同じハードウェア上で接続されるか、または２つのノードが、コロケートされていると見なされ得るような互いの近傍にある）事例では、共有メモリの使用、ソフトウェアプロセス間通信（ＩＰＣ：software inter-process communication）の使用、および／またはＰ２Ｐインターフェース（たとえば、Ｄ−ｂｕｓ、ＡｌｌＪｏｙｎなど）など、システム走査結果７３４を共有するための１つまたは複数の技法が使用され得る。
【００６３】
[0073]追加の態様では、システム選択構成要素７２０は監視構成要素７３６を含み得、監視構成要素７３６は、ノードの第１のサブセット７２８の一部であると決定された１つまたは複数のノード（たとえば、７０４および／または７０６）によって送信された１つまたは複数のシステム走査結果７３４を監視するように構成され得る。たとえば、監視構成要素７３６は、ノードの第１のセット７２８（たとえば、ノード７０４および７０６）からＰ２Ｐ通信（たとえば、通信チャネル７１６）を介して１つまたは複数のシステム走査結果７３４を受信し得る。いくつかの事例では、監視構成要素７３６は、ノード７０２がノードの第１のセットの一部であると決定されたのか、ノードの第２のセットの一部であると決定されたのかにかかわらず、１つまたはシステム走査結果７３４を監視するように構成され得る。したがって、システム選択構成要素７２０は、上記で説明したように、１つまたは複数のシステム走査結果７３４を受信するように構成され得る。
【００６４】
[0074]詳細には、一態様では、システム選択構成要素７２０は切替え構成要素７３８を含み得、切替え構成要素７３８は、ノード７０２が、それの現在のＲＡＴ（たとえば、第１のＲＡＴ７４８）から別のＲＡＴ（たとえば、第２のＲＡＴおよび／または第ＮのＲＡＴ７５２）に切り替えるべきかどうかを決定し、その決定に基づいてＲＡＴを切り替えるように構成され得る。いくつかの事例では、切替え構成要素７３８は、走査構成要素７３２によって取得された１つまたは複数のシステム走査結果７３４と、ノードの第１のセット７２８の一部であるノードから受信された１つまたは複数のシステム走査結果７３４とに少なくとも部分的に基づいて、それの決定を行うように構成され得る。さらなる事例では、現在のＲＡＴ（たとえば、第１のＲＡＴ７４８）から別のＲＡＴ（たとえば、第２のＲＡＴおよび／または第ＮのＲＡＴ７５２）への切替えは、現在のＲＡＴ（たとえば、第１のＲＡＴ７４８）を無効にすること、現在のＲＡＴ（たとえば、第１のＲＡＴ７４８）に対して関連するパブリックランドモバイルネットワーク（ＰＬＭＮ：Public Land Mobile Network）のタイミング関連付けを防ぐこと、および現在のＲＡＴ（たとえば、第１のＲＡＴ７４８）に対してＰＬＭＮ識別情報（ＩＤ）を禁止することのうちの１つまたは複数を備える。いくつかの態様では、ＲＡＴを切り替えることは、ＬＴＥを無効にすること、関連する等価ホームパブリックランドモバイルネットワーク（ＥＨＰＬＭＮ：Equivalent Home Public Land Mobile Network）または（ＨＰＬＭＮ）のトラッキングエリアを防ぐこと、およびＰＬＭＮ識別情報（ＩＤ）がＥＨＰＬＭＮまたはＨＰＬＭＮのためのものでないとき、ＰＬＭＮ−ＩＤを防ぐことのうちの１つまたは複数を備え得る。ＨＰＬＭＮは、ＰＬＭＮ識別情報のモバイル国コード（ＭＣＣ：mobile country code）およびモバイルネットワークコード（ＭＮＣ：mobile network code）がＩＭＳＩのＭＣＣおよびＭＮＣに一致するＰＬＭＮである。複数のＨＰＬＭＮコードのプロビジョンを可能にするために、このリスト内に存在するＰＬＭＮコードは、ＰＬＭＮ選択目的のためにＩＭＳＩから導出されたＨＰＬＭＮコードを置き換えるものとする。このリストは、ＵＳＩＭに記憶され、ＥＨＰＬＭＮリストとして知られている。ＥＨＰＬＭＮリストはまた、ＩＭＳＩから導出されたＨＰＬＭＮコードを含んでいることがある。ＩＭＳＩから導出されたＨＰＬＭＮコードがＥＨＰＬＭＮリスト中に存在しない場合、そのＨＰＬＭＮコードはＰＬＭＮ選択目的のために訪問先ＰＬＭＮとして扱われるものとする。等価ＨＰＬＭＮリスト中に含まれているＰＬＭＮエントリのいずれか。
【００６５】
[0075]たとえば、切替え構成要素７３８は走査構成要素７３２からシステム走査結果７３４を取得し得る。たとえば、システム走査結果７３４は、ノード７０２が、より優先度の低いＲＡＴ（たとえば、第２のＲＡＴ７５０および／または第ＮのＲＡＴ７５２）上で十分な信号品質を経験しており、ノード７０２またはノードの第１のセット７２８中の別のノード（たとえば、ノード７０４および／または７０６）が、より優先度の高いＲＡＴ（たとえば、第１のＲＡＴ７４８）上で不十分な信号品質を経験していることを示し得る。しかしながら、現在の３ＧＰＰプロシージャ（または３ＧＰＰ２／ＭＭＳＳプロシージャ）により、ノード７０２またはノードの第１のセット７２８中の別のノード（たとえば、ノード７０４および／または７０６）は、現在のＲＡＴ（たとえば、第１のＲＡＴ７４８）のより高い優先度により、そのＲＡＴを離れることを禁止され得る。それでも、切替え構成要素７３８は、ＬＴＥ能力を無効にすること、および／あるいは関連するＥＨＰＬＭＮまたはＨＰＬＭＮの特定のトラッキングエリアを禁止すること、あるいはＰＬＭＮＩＤがＥＨＰＬＭＮおよび／またはＨＰＬＭＮでない場合、ＰＬＭＮＩＤ全体を禁止することによって、システム走査結果７３４に基づいて第１のＲＡＴ７４８から第２のＲＡＴ７５０および／または第ＮのＲＡＴ７５２に切り替えるように構成され得る。いくつかの事例では、Ｐ２Ｐ接続性は、電力に関して定義されるコストを有し得る。Ｐ２Ｐ接続性による電力消費が、ノードごとの低減された走査によって生じた節約を上回る場合、Ｐ２Ｐ接続性は、より少数のノードを備え得るノードのより少数のセット７２６間にＰ２Ｐ接続性があることを保証するために再定義され得る。
【００６６】
[0076]したがって、いくつかの態様では、システム選択構成要素７２０はプロキシノードサービス構成要素７４０を含み得、プロキシノードサービス構成要素７４０は、プロキシノードから１つまたは複数の着信呼を受信するために、ネットワーク７１２内に位置するＩＭＳサーバ７１４にノード７０２を登録するために登録構成要素７４２を実行するように構成され得る。いくつかの事例では、ノードのセット７２６内のノードは、同様のＲＡＴ能力をサポートし得、電力を節約するように構成され得、したがって、プロキシノードサービス構成要素７４０は、ノード７０２をＩＭＳサーバ７１４に登録するために登録構成要素７４２を実行するように構成され得る。
【００６７】
[0077]したがって、システム選択構成要素７２０は、ＩＭＳサーバ７１４に登録したことに応答して、プロキシノードからルーティングされた１つまたは複数の着信呼を受信するように構成され得る。たとえば、着信呼が発生した場合、プロキシノードは、登録されたノードのセッション開始プロトコル（ＳＩＰ）ユニフォームリソース識別子（ＵＲＩ：uniform resource identifier）と、対応するノード識別情報（ＩＤ）とを備える、ローカルルーティングテーブル構成に基づいて、着信呼をノード７０２に再ルーティングする。たとえば、ノードＩＤは、限定はしないが、国際モバイル加入者識別情報（ＩＭＳＩ：international mobile subscriber identity）と、登録されたノードのＩＰアドレスとを含み得る。
【００６８】
[0078]さらなる態様では、ノード７０２は、プロキシノードであるように構成され得る。その結果、プロキシノードサービス構成要素７４０は、場合によってはローカルルーティングテーブル７４４を含むように構成され得る。そのような事例では、ローカルルーティングテーブル７４４は、登録されたノードのセッション開始プロトコル（ＳＩＰ）ユニフォームリソース識別子（ＵＲＩ）と、対応するノード識別情報（ＩＤ）とを含むように構成され得る。たとえば、ノードＩＤは、限定はしないが、国際モバイル加入者識別情報（ＩＭＳＩ）と、登録されたノードのＩＰアドレスとを含み得る。
【００６９】
[0079]他の態様では、システム選択構成要素７２０は干渉緩和構成要素７４６を含み得、干渉緩和構成要素７４６は、ノード７０２が、ノードのセット７２６の１つまたは複数のノード（たとえば、ノード７０４および／または７０６）とのしきい近接度内にあると決定するよう構成され得る。たとえば、同じスモールフォームファクタデバイス中の２つのノードはコロケートされていると見なされ得る。しきい近接度内にあることの結果として、ノードのセット７２６の１つまたは複数のノード（たとえば、ノード７０４および／または７０６）は、ノード７０２の１つまたは複数のＲＡＴ（たとえば、第１のＲＡＴ７４８、第２のＲＡＴ、および／または第ＮのＲＡＴ７５２）と同時に通信しているときに干渉を引き起こす。決定の結果として、干渉緩和構成要素７４６は、ノード７０２とノードのセット７２６の１つまたは複数のノード（たとえば、ノード７０４および／または７０６）との間で最小量の干渉を引き起こす１つまたは複数のチャネルに基づいて、１つまたは複数のＲＡＴ（たとえば、第１のＲＡＴ７４８、第２のＲＡＴ、および／または第ＮのＲＡＴ７５２）の周波数を選定するように構成され得る。
【００７０】
[0080]さらに、システム選択構成要素７２０は、ネットワーク情報を共有するように構成され得、ここにおいて、ネットワーク情報は、１つまたは複数のＲＡＴ（たとえば、第１のＲＡＴ７４８、第２のＲＡＴ、および／または第ＮのＲＡＴ７５２）を用いて発生した接続成功および接続失敗のうちの少なくとも一方または両方と、１つまたは複数のＲＡＴ（たとえば、第１のＲＡＴ７４８、第２のＲＡＴ、および／または第ＮのＲＡＴ７５２）上で受信されたスループットとに関する情報を備える。いくつかの事例では、ノードのセット７２６内のノードは、ノードのセット７２６内の他のノードとネットワーク情報を共有するように構成され得る。他の事例では、ネットワーク情報の共有は、ノードの第１のセット７２８のみによって実施されるように制限され得る。たとえば、ネットワーク情報は、ノードが正常にアタッチした、ＶｏＰＳ対応または回線交換フォールバック（ＣＳＦＢ：circuit switched fallback）対応としてＴＡを発見することができたかどうか、１つのノードのみが、利用可能なシステムのためのシステム走査を実施するために使用され得るように、すべてのノードが限定サービス中であるかどうか、ノードが、それの汎用加入者識別モジュール（ＵＳＩＭ：Universal Subscriber Identity Module）サブスクリプションに固有ではない禁止ＰＬＭＮＩＤまたは禁止ＴＡ／ＬＡとしてＬＴＥネットワークに遭遇するかどうか、ノードがＷＬＡＮサービスを必要とするが、発展型パケットデータゲートウェイ（ｅＰＤＧ：evolved packet data gateway）がエラーのために到達不可能であることにより、ｅＰＤＧに接続することができないかどうか、および／またはノードが、ＩＭＳサーバ７１４が到達不可能であると決定したかどうかに関する情報のうちの１つまたは複数を備え得る。ネットワーク情報の共有は、それに応じて、ノードのセット７２６内のノードがそれらのシステム選択プロシージャを調整することを可能にし得る。
【００７１】
[0081]図８〜図９を参照すると、説明を簡単にするために、方法が一連の行為として図示され説明されている。ただし、いくつかの行為は、１つまたは複数の態様によれば、本明細書で図示され説明される順序とは異なる順序で、および／または他の行為と同時に行われ得るので、本方法（およびそれに関係するさらなる方法）は行為の順序によって限定されないことを理解し、諒解されたい。たとえば、本方法は、状態図など、一連の相互に関係する状態またはイベントとして代替的に表現され得ることを諒解されたい。その上、本明細書で説明する１つまたは複数の特徴による方法を実装するために、図示のすべての行為が必要とされるとは限らない。
【００７２】
[0082]図８を参照すると、動作態様では、ノード７０２（図７）などのノードは、複数のノードの間のシステム選択を協調させるための方法８００の一態様を実施し得る。一態様では、方法８００は、マスタノードとして指定され、システム走査を実施することを許可されると決定された、ノード７０２（図７）など、ノードによって実施されるべきステップを含む。
【００７３】
[0083]一態様では、ブロック８１０において、方法８００は、ノードがノードのサブセットの一部であると決定することを含み得る。たとえば、本明細書で説明するように、システム選択構成要素７２０（図７）は、ノード７０２がノードの第１のサブセット７２８の一部であると決定するために、マスタノード構成要素７２２および／または決定構成要素７２４を実行し得、ここにおいて、ノードの第１のサブセット７２８中の各ノードは、ノードの第１のサブセット７２８とノードの第２のサブセット７３０とを含むノードのセット７２６のための１つまたは複数のシステム走査を実施する。いくつかの事例では、ノード７０２は、ノード７０２の１つまたは複数の特性に少なくとも部分的に基づいて、ノードの第１のサブセット７２８の一部であると決定される。いくつかの事例では、１つまたは複数の特性は、ノードのセット７２６中のノード（たとえば、ノード７０２、７０４、および／または７０６）との１つまたは複数のＲＡＴ類似性、ＲＡＴ（たとえば、第１のＲＡＴ７４８、第２のＲＡＴ、および／または第ＮのＲＡＴ７５２）ごとのシステム走査ごとに消費される電力量、ノード７０２が接続状態にあるかどうか、および／またはノード７０２がボイス能力を有するかどうかを含み得る。たとえば、ノード７０２が、走査を実施することを許可されるノードのサブセットの一部であるとき、ノード７０２はマスタノードと呼ばれる。詳細には、マスタノード構成要素７２２および／または決定構成要素７２４は、１つまたは複数の特性に基づいて、ノードがシステム走査を実施することを可能にするかまたは禁止するように構成され得る。ノードのサブセットがシステム走査を実施することを禁止することによって、マスタノード構成要素７２２および／または決定構成要素７２４は、システム選択に必要な電力とシステム取得時間とを低減することが可能になる。
【００７４】
[0084]さらに、ブロック８２０において、方法８００は、ノードがノードのサブセットの一部であると決定したことに応答して、そのノードによってノードの１つまたは複数のＲＡＴに対する１つまたは複数のシステム走査を実施することを含み得る。たとえば、ノードが、走査を実施することを許可されるノードのサブセットの一部であるとき、そのノードはマスタノードと呼ばれ、ノードが、走査を実施することを禁止されるノードのサブセットの一部であるとき、そのノードはマスタノードと呼ばれない。たとえば、本明細書で説明するように、システム選択構成要素７２０（図７）は、ノード７０２がノードの第１のサブセット７２８の一部であると決定したことに応答して、ノード７０２によってノード７０２の１つまたは複数のＲＡＴ（たとえば、第１のＲＡＴ７４８、第２のＲＡＴ、および／または第ＮのＲＡＴ７５２）に対する１つまたは複数のシステム走査を実施するために、マスタノード構成要素７２２（図７）および／または走査構成要素７３２を実行し得る。他の事例では、１つまたは複数のシステム走査を実施することは、第１のＲＡＴ７４８について並列システム走査を実施することを備え、ここにおいて、ノードの第１のサブセット７２８中の各ノードは、それぞれのＲＡＴ（たとえば、第１のＲＡＴ７４８、第２のＲＡＴ、および／または第ＮのＲＡＴ７５２）について並列システム走査を実施する。
【００７５】
[0085]ブロック８３０において、方法８００は、１つまたは複数のＲＡＴに対する１つまたは複数のシステム走査からの１つまたは複数のシステム走査結果を取得することを含み得る。たとえば、本明細書で説明するように、システム選択構成要素７２０（図７）は、１つまたは複数のＲＡＴ（たとえば、第１のＲＡＴ７４８、第２のＲＡＴ、および／または第ＮのＲＡＴ７５２）に対する１つまたは複数のシステム走査からの１つまたは複数のシステム走査結果７３４を取得するために実行され得る。いくつかの事例では、システム走査結果７３４は、限定はしないが、信号品質レベル（ｄＢ）など、ＲＡＴ信号品質情報を備え得る。
【００７６】
[0086]ブロック８４０において、方法８００は、１つまたは複数のシステム走査結果をノードのセットに送信することを含み得る。たとえば、本明細書で説明するように、システム選択構成要素７２０（図７）は、１つまたは複数のシステム走査結果７３４をノードのセット７２６に送信するために実行され得、ここにおいて、ノードのセット７２６中の各ノードは、１つまたは複数のシステム走査結果７３４に少なくとも部分的に基づいて、第１のＲＡＴ７４８から第２のＲＡＴ７５０（または第ＮのＲＡＴ７５２）に切り替えるべきかどうかを決定するように構成される。すなわち、走査を実施するマスタノードは、走査を実施しない他のノードに走査結果を送信するように構成され得る。いくつかの事例では、システム選択構成要素７２０は、ノード７０２とノードのセット７２６中のノード（たとえば、ノード７０４および／または７０６）との間のピアツーピア（Ｐ２Ｐ）接続性を介して１つまたは複数のシステム走査結果７３４を送信し得る。いくつかの態様では、Ｐ２Ｐ接続性（たとえば、通信チャネル７１６）は、Ｂｌｕｅｔｏｏｔｈ、ワイヤレスローカルエリアネットワーク（ＷＬＡＮ）、ワイヤレスワイドエリアネットワーク（ＷＷＡＮ）、ＷｉＦｉ、ＬＴＥ、およびＤ−ｂｕｓのうちの１つまたは複数を介した接続性を備え得る。
【００７７】
[0087]図９を参照すると、追加および／または代替動作態様では、ノード７０２（図７）などのノードは、複数のノードの間のシステム選択を協調させるための圧縮指示を含むＰＤＵを送る方法９００の一態様を実施し得る。システム選択構成要素７２０（図７）の様々な構成要素および／または副構成要素のうちのいずれか１つまたは複数が、方法９００を形成する各ブロックに関して本明細書で説明する態様を実施するために実行され得ることを理解されたい。一態様では、方法９００は、マスタノードとして指定されず、システム走査を実施することを許可されないと決定された、ノード７０２（図７）など、ノードによって実施されるべきステップを含む。
【００７８】
[0088]一態様では、ブロック９１０において、方法９００は、ノードがノードの第１のサブセットの一部であると決定することを含み得る。すなわち、ノードが、走査を実施することを許可されるノードのサブセットの一部であるとき、そのノードはマスタノードと呼ばれ、ノードが、システム走査を実施することを禁止されるノードのサブセットの一部であるとき、そのノードはマスタノードと呼ばれない。たとえば、本明細書で説明するように、システム選択構成要素７２０（図７）は、ノード７０２がノードの第２のサブセット７３０の一部であると決定するために、マスタノード構成要素７２２および／または決定構成要素７２４を実行し得、ここにおいて、ノードの第２のサブセット７３０中の各ノードは、ノードの第１のサブセット７２８とノードの第２のサブセット７３０とを含むノードのセット７２６のための１つまたは複数のシステム走査を実施することを禁止される。いくつかの事例では、ノード７０２は、ノード７０２の１つまたは複数の特性に少なくとも部分的に基づいて、ノードの第２のサブセット７３０の一部であると決定される。いくつかの事例では、１つまたは複数の特性は、ノードのセット７２６中のノード（たとえば、ノード７０２、７０４、および／または７０６）との１つまたは複数のＲＡＴ類似性、ＲＡＴ（たとえば、第１のＲＡＴ７４８、第２のＲＡＴ、および／または第ＮのＲＡＴ７５２）ごとのシステム走査ごとに消費される電力量、ノード７０２が接続状態にあるかどうか、および／またはノード７０２がボイス能力を有するかどうかを含み得る。ここで、ノード７０２はマスタノードであると見なされず、したがって、ノード７０２は、システム走査を実施することを禁止される。
【００７９】
[0089]さらに、ブロック９２０において、方法９００は、ノードの第２のサブセットによって送信された１つまたは複数のシステム走査結果を監視することを含み得る。たとえば、本明細書で説明するように、システム選択構成要素７２０（図７）は、ノードの第１のサブセット７２８によって送信された１つまたは複数のシステム走査結果７３４を監視するために監視構成要素７３６（図７）を実行するように構成され得、ここにおいて、ノードの第１のサブセット７２８中の各ノードはノードのセット７２６のための１つまたは複数のシステム走査を実施する。したがって、ノード７０２は、１つまたは複数のマスタノードからのシステム走査結果７３４を監視する。
【００８０】
[0090]方法９００は、ブロック９３０に進み、ノードの第２のサブセットから１つまたは複数のシステム走査結果を受信することを含み得る。詳細には、本明細書で説明するように、システム選択構成要素７２０（図７）は、ノードの第１のサブセット７２８から１つまたは複数のシステム走査結果７３４を受信するように構成され得る。たとえば、監視構成要素７３６は、ノードの第１のセット７２８（たとえば、ノード７０４および７０６）からＰ２Ｐ通信（たとえば、通信チャネル７１６）を介して１つまたは複数のシステム走査結果７３４を受信し得る。
【００８１】
[0091]ブロック９４０において、方法９００は、１つまたは複数のシステム走査結果に少なくとも部分的に基づいて、第１のＲＡＴから第２のＲＡＴに切り替えるべきかどうかを決定することを含み得る。たとえば、本明細書で説明するように、システム選択構成要素７２０（図７）は、１つまたは複数のシステム走査結果７３４に少なくとも部分的に基づいて、第１のＲＡＴ７４８から第２のＲＡＴ７５０（または第ＮのＲＡＴ７５２）に切り替えるべきかどうかを決定するために、切替え構成要素７３８（図７）を実行し得る。さらなる事例では、現在のＲＡＴ（たとえば、第１のＲＡＴ７４８）から別のＲＡＴ（たとえば、第２のＲＡＴおよび／または第ＮのＲＡＴ７５２）への切替えは、現在のＲＡＴ（たとえば、第１のＲＡＴ７４８）を無効にすること、現在のＲＡＴ（たとえば、第１のＲＡＴ７４８）に対して関連するパブリックランドモバイルネットワーク（ＰＬＭＮ）のタイミング関連付けを防ぐこと、および現在のＲＡＴ（たとえば、第１のＲＡＴ７４８）に対してＰＬＭＮ識別情報（ＩＤ）を禁止することのうちの１つまたは複数を備える。いくつかの態様では、ＲＡＴを切り替えることは、ＬＴＥを無効にすること、関連する等価ホームパブリックランドモバイルネットワーク（ＥＨＰＬＭＮ）または（ＨＰＬＭＮ）のトラッキングエリアを防ぐこと、およびＰＬＭＮ識別情報（ＩＤ）がＥＨＰＬＭＮまたはＨＰＬＭＮのためのものでないとき、ＰＬＭＮ−ＩＤを防ぐことのうちの１つまたは複数を備え得る。たとえば、切替え構成要素７３８は走査構成要素７３２からシステム走査結果７３４を取得し得る。システム走査結果７３４は、ノード７０２が、より優先度の低いＲＡＴ（たとえば、第２のＲＡＴ７５０および／または第ＮのＲＡＴ７５２）上で十分な信号品質を経験しており、ノード７０２またはノードの第１のセット７２８中の別のノード（たとえば、ノード７０４および／または７０６）が、より優先度の高いＲＡＴ（たとえば、第１のＲＡＴ７４８）上で不十分な信号品質を経験していることを示し得る。しかしながら、現在の３ＧＰＰプロシージャ（または３ＧＰＰ２／ＭＭＳＳプロシージャ）により、ノード７０２またはノードの第１のセット７２８中の別のノード（たとえば、ノード７０４および／または７０６）は、現在のＲＡＴ（たとえば、第１のＲＡＴ７４８）のより高い優先度により、そのＲＡＴを離れることを禁止され得る。それでも、切替え構成要素７３８は、システム走査結果７３４に基づいて、第１のＲＡＴ７４８から第２のＲＡＴ７５０および／または第ＮのＲＡＴ７５２に切り替えるように構成され得る。いくつかの事例では、Ｐ２Ｐ接続性は、電力に関して定義されるコストを有し得る。Ｐ２Ｐ接続性による電力消費が、ノードごとの低減された走査によって生じた節約を上回る場合、Ｐ２Ｐ接続性は、より少数のノードを備え得るノードのより少数のセット７２６間にＰ２Ｐ接続性があることを保証するために再定義され得る。
【００８２】
[0092]図１０を参照すると、データフロー１０００は、本開示の一態様による、例示的な装置１０１８中の異なるモジュール／手段／構成要素間の例示的なフローを示している。本装置は、ＵＥなどのノード、または図７のシステム選択構成要素７２０を含むノード７０２であり得る。装置１０１８は、ネットワークエンティティ１０５０が装置１０１８に関連するシステム選択プロシージャをサポートするかどうかを決定する際に役立つ、ネットワークエンティティ１０５０からのシステム走査結果を含むワイヤレス情報１００２を受信するための受信モジュール１００４を含む。さらに、装置１０１８は、ネットワークエンティティ１０５０からのシステム走査結果情報１０２２を監視し、受信するためのデータ監視モジュール１００６を含み得る。
【００８３】
[0093]さらに、装置１０１８は、１つまたは複数のシステム走査結果に少なくとも部分的に基づいて、ネットワークエンティティ１０５０が第１のＲＡＴから第２のＲＡＴに切り替えるべきかどうかを決定し、上記の決定に基づいて指示１０２８を送信するための切替えモジュール１００８を含み得る。装置１０１８は、装置１０１８が、ノードの第１のサブセットの一部であるのか、ノードの第２のサブセットの一部であるのかを決定し、指示１０３０を送信するためのマスタノードモジュール１０１０をさらに含み得る。マスタノードモジュール１０１０はまた、システム走査を実施するために指示１０３２を送信し得る。さらなる態様では、プロキシノードサービスモジュール１０１２は、着信呼１０２４を受信するか、または指示１０３４によって（図７のＩＭＳサーバ７１４などの）ＩＭＳサーバへの装置１０１８の登録を実施し得る。その上、送信モジュール１０１４は、ネットワークエンティティ１０５０を含む１つまたは複数のネットワークエンティティに１つまたは複数の通信１０１６を送り／送信し得る。
【００８４】
[0094]本装置は、図１０の上述のフロー図中のアルゴリズムのステップの各々を実施する追加のモジュールを含み得る。したがって、図１０の上述のフロー図中の各ステップは１つのモジュールによって実施され得、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【００８５】
[0095]図１１は、処理システム１１１４を採用する装置１１０１のためのハードウェア実装形態の一例を示す図１１００である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４、モジュール１１２６、１１２８、１１３２、１１３６、１１４０、１１４４、およびコンピュータ可読媒体１１０６によって表される１つまたは複数のプロセッサおよび／またはハードウェアモジュールを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明しない。
【００８６】
[0096]処理システム１１１４はトランシーバ１１１０に結合され得る。トランシーバ１１１０は１つまたは複数のアンテナ１１２０に結合される。トランシーバ１１１０は、伝送媒体を介して様々な他の装置と通信するための手段を与える。処理システム１１１４は、コンピュータ可読媒体１１０６に結合されたプロセッサ１１０４を含む。プロセッサ１１０４は、コンピュータ可読媒体１１０６に記憶されたソフトウェアの実行を含む一般的な処理を担当する。ソフトウェアは、プロセッサ１１０４によって実行されたとき、処理システム１１１４に、特定の装置のための上記で説明した様々な機能を実施させる。コンピュータ可読媒体１１０６はまた、ソフトウェアを実行するときにプロセッサ１１０４によって操作されるデータを記憶するために使用され得る。
【００８７】
[0097]処理システムは、構成要素またはモジュール１１２６、１１２８、１１３２、１１３６、１１４０および１１４４のうちの少なくとも１つをさらに含む。モジュールは、コンピュータ可読媒体１１０６中に常駐する／記憶された、プロセッサ１１０４中で動作するソフトウェアモジュールであるか、プロセッサ１１０４に結合された１つまたは複数のハードウェアモジュールであるか、またはそれらの何らかの組合せであり得る。処理システム１１１４は、ＵＥ６５０（図６）の構成要素であり得、メモリ６６０、および／またはＴＸプロセッサ６６８と、ＲＸプロセッサ６５６と、コントローラ／プロセッサ６５９とのうちの少なくとも１つを含み得る。他の態様では、処理システム１１１４は、システム選択構成要素７２０を含むノード７０２（図７）の構成要素であり得る。
【００８８】
[0098]開示したプロセスにおけるステップの特定の順序または階層は、例示的な手法の一例であることを理解されたい。設計選好に基づいて、プロセスにおけるステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００８９】
[0099]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］
ノードがノードのサブセットの一部であると決定することと、ここにおいて、ノードの前記サブセット中の各ノードが、ノードの前記サブセットを含むノードのセットのための１つまたは複数のシステム走査を実施し、ここにおいて、前記ノードが、前記ノードの１つまたは複数の特性に少なくとも部分的に基づいてノードの前記サブセットの一部であると決定され、
前記ノードがノードの前記サブセットの一部であると決定したことに応答して、前記ノードによって１つまたは複数の無線アクセス技術（ＲＡＴ）に対する前記１つまたは複数のシステム走査を実施することと、
前記１つまたは複数のＲＡＴに対する前記１つまたは複数のシステム走査からの１つまたは複数のシステム走査結果を取得することと、
前記１つまたは複数のシステム走査結果をノードの前記セットに送信することと、ここにおいて、ノードの前記セット中の各ノードが、前記１つまたは複数のシステム走査結果に少なくとも部分的に基づいて、第１のＲＡＴから第２のＲＡＴに切り替えるべきかどうかを決定するように構成された、を備える、通信の方法。
［Ｃ２］
前記１つまたは複数の特性は、ノードの前記セット中の前記ノードとのＲＡＴ類似性、ＲＡＴごとのシステム走査ごとに消費される電力量、前記ノードが接続状態にあるかどうか、前記ノードがボイス能力を有するかどうかのうちの少なくとも１つまたは複数を備える、Ｃ１に記載の方法。
［Ｃ３］
ノードの前記サブセットが、ノードの前記セットのためのＲＡＴごとのシステム走査ごとに消費される電力量を最小限に抑える１つまたは複数のノードを備える、Ｃ１に記載の方法。
［Ｃ４］
前記１つまたは複数のシステム走査を実施することが、前記第１のＲＡＴについて並列システム走査を実施することを備え、ここにおいて、ノードの前記サブセット中の各ノードが、前記１つまたは複数のＲＡＴからのそれぞれのＲＡＴについて前記並列システム走査を実施する、Ｃ１に記載の方法。
［Ｃ５］
前記１つまたは複数のシステム走査結果をノードの前記セットに送信することが、前記ノードとノードの前記セット中の前記ノードとの間のピアツーピア（Ｐ２Ｐ）接続性を介して前記１つまたは複数のシステム走査結果を送信することを備え、ここにおいて、前記Ｐ２Ｐ接続性が、Ｂｌｕｅｔｏｏｔｈ、またはワイヤレスローカルエリアネットワーク（ＷＬＡＮ）、またはワイヤレスワイドエリアネットワーク（ＷＷＡＮ）、またはＷｉＦｉ、またはロングタームエボリューション（ＬＴＥ）、またはＤ−ｂｕｓのうちの１つまたは複数を介した接続性を備える、Ｃ１に記載の方法。
［Ｃ６］
ノードの前記サブセットの一部である１つまたは複数のノードから１つまたは複数の後続のシステム走査結果を取得することと、
前記１つまたは複数のシステム走査結果および前記１つまたは複数の後続のシステム走査結果のうちの一方または両方に少なくとも部分的に基づいて、前記第１のＲＡＴから前記第２のＲＡＴに切り替えるべきかどうかを決定することと、ここにおいて、前記第１のＲＡＴから前記第２のＲＡＴへの前記切替えが、前記第１のＲＡＴを無効にすること、または前記第１のＲＡＴに対して関連するパブリックランドモバイルネットワーク（ＰＬＭＮ）のタイミング関連付けを防ぐこと、または前記第１のＲＡＴに対してＰＬＭＮ識別情報（ＩＤ）を禁止することのうちの１つまたは複数を備える、をさらに備える、Ｃ１に記載の方法。
［Ｃ７］
前記１つまたは複数のシステム走査結果がＲＡＴ信号品質情報を備える、Ｃ１に記載の方法。
［Ｃ８］
ノードがノードのサブセットの一部であると決定するための手段と、ここにおいて、ノードの前記サブセット中の各ノードが、ノードの前記サブセットを含むノードのセットのための１つまたは複数のシステム走査を実施し、ここにおいて、前記ノードが、前記ノードの１つまたは複数の特性に少なくとも部分的に基づいてノードの前記サブセットの一部であると決定され、
前記ノードがノードの前記サブセットの一部であると決定したことに応答して、前記ノードによって１つまたは複数の無線アクセス技術（ＲＡＴ）に対する前記１つまたは複数のシステム走査を実施するための手段と、
前記１つまたは複数のＲＡＴに対する前記１つまたは複数のシステム走査からの１つまたは複数のシステム走査結果を取得するための手段と、
前記１つまたは複数のシステム走査結果をノードの前記セットに送信するための手段と、ここにおいて、ノードの前記セット中の各ノードが、前記１つまたは複数のシステム走査結果に少なくとも部分的に基づいて、第１のＲＡＴから第２のＲＡＴに切り替えるべきかどうかを決定するように構成された、を備える、通信のための装置。
［Ｃ９］
通信のためのコンピュータ実行可能コードを記憶する非一時的コンピュータ可読媒体であって、
ノードがノードのサブセットの一部であると決定するためのコードと、ここにおいて、ノードの前記サブセット中の各ノードが、ノードの前記サブセットを含むノードのセットのための１つまたは複数のシステム走査を実施し、ここにおいて、前記ノードが、前記ノードの１つまたは複数の特性に少なくとも部分的に基づいてノードの前記サブセットの一部であると決定され、
前記ノードがノードの前記サブセットの一部であると決定したことに応答して、前記ノードによって１つまたは複数の無線アクセス技術（ＲＡＴ）に対する前記１つまたは複数のシステム走査を実施するためのコードと、
前記１つまたは複数のＲＡＴに対する前記１つまたは複数のシステム走査からの１つまたは複数のシステム走査結果を取得するためのコードと、
前記１つまたは複数のシステム走査結果をノードの前記セットに送信するためのコードと、ここにおいて、ノードの前記セット中の各ノードが、前記１つまたは複数のシステム走査結果に少なくとも部分的に基づいて、第１のＲＡＴから第２のＲＡＴに切り替えるべきかどうかを決定するように構成された、を備える、非一時的コンピュータ可読媒体。
［Ｃ１０］
ノードがノードのサブセットの一部であると決定するように構成された決定構成要素と、ここにおいて、ノードの前記サブセット中の各ノードが、ノードの前記サブセットを含むノードのセットのための１つまたは複数のシステム走査を実施し、ここにおいて、前記ノードが、前記ノードの１つまたは複数の特性に少なくとも部分的に基づいてノードの前記サブセットの一部であると決定され、
前記ノードがノードの前記サブセットの一部であると決定したことに応答して、前記ノードによって１つまたは複数の無線アクセス技術（ＲＡＴ）に対する前記１つまたは複数のシステム走査を実施するように構成された走査構成要素と、
前記１つまたは複数のＲＡＴに対する前記１つまたは複数のシステム走査からの１つまたは複数のシステム走査結果を取得するように構成されたシステム選択構成要素と
を備え、
ここにおいて、前記システム選択構成要素が、前記１つまたは複数のシステム走査結果をノードの前記セットに送信するようにさらに構成され、ここにおいて、ノードの前記セット中の各ノードが、前記１つまたは複数のシステム走査結果に少なくとも部分的に基づいて、第１のＲＡＴから第２のＲＡＴに切り替えるべきかどうかを決定するように構成された、通信のための装置。
［Ｃ１１］
前記１つまたは複数の特性は、ノードの前記セット中の前記ノードとのＲＡＴ類似性、ＲＡＴごとのシステム走査ごとに消費される電力量、前記ノードが接続状態にあるかどうか、前記ノードがボイス能力を有するかどうかのうちの少なくとも１つまたは複数を備える、Ｃ１０に記載の装置。
［Ｃ１２］
ノードの前記サブセットが、ノードの前記セットのためのＲＡＴごとのシステム走査ごとに消費される電力量を最小限に抑える１つまたは複数のノードを備える、Ｃ１０に記載の装置。
［Ｃ１３］
前記走査構成要素が、第１のＲＡＴについて並列システム走査を実施するようにさらに構成され、ここにおいて、ノードの前記サブセット中の各ノードが、それぞれのＲＡＴについて前記並列システム走査を実施する、Ｃ１０に記載の装置。
［Ｃ１４］
前記システム選択構成要素が、前記ノードとノードの前記セット中の前記ノードとの間のピアツーピア（Ｐ２Ｐ）接続性を介して前記１つまたは複数のシステム走査結果を送信するようにさらに構成され、ここにおいて、前記Ｐ２Ｐ接続性が、Ｂｌｕｅｔｏｏｔｈ、ワイヤレスローカルエリアネットワーク（ＷＬＡＮ）、ワイヤレスワイドエリアネットワーク（ＷＷＡＮ）、ＷｉＦｉ、ロングタームエボリューション（ＬＴＥ）、およびＤ−ｂｕｓのうちの１つまたは複数を介した接続性を備える、Ｃ１０に記載の装置。
［Ｃ１５］
前記システム選択構成要素が、ノードの前記サブセットの一部である１つまたは複数のノードから１つまたは複数の後続のシステム走査結果を取得するようにさらに構成され、
ここにおいて、前記決定構成要素が、前記１つまたは複数のシステム走査結果および前記１つまたは複数の後続のシステム走査結果のうちの一方または両方に少なくとも部分的に基づいて、前記第１のＲＡＴから前記第２のＲＡＴに切り替えるべきかどうかを決定するようにさらに構成され、ここにおいて、前記第１のＲＡＴから前記第２のＲＡＴに切り替えることが、前記第１のＲＡＴを無効にすること、前記第１のＲＡＴに対して関連するパブリックランドモバイルネットワーク（ＰＬＭＮ）のタイミング関連付けを防ぐこと、および前記第１のＲＡＴに対してＰＬＭＮ識別情報（ＩＤ）を禁止することのうちの１つまたは複数を備える、Ｃ１０に記載の装置。
［Ｃ１６］
前記１つまたは複数のシステム走査結果がＲＡＴ信号品質情報を備える、Ｃ１０に記載の装置。
［Ｃ１７］
ノードがノードの第１のサブセットの一部であると決定することと、ここにおいて、前記第１のサブセット中の各ノードが、１つまたは複数の無線アクセス技術（ＲＡＴ）に対する１つまたは複数のシステム走査を実施することを禁止され、ここにおいて、前記決定することが、前記ノードの１つまたは複数の特性に少なくとも部分的に基づき、
ノードの第２のサブセットによって送信された１つまたは複数のシステム走査結果を監視することと、ここにおいて、前記第２のサブセット中の各ノードが、ノードの前記第１のサブセットを少なくとも含むノードのセットのための１つまたは複数のシステム走査を実施し、
ノードの前記第２のサブセットから前記１つまたは複数のシステム走査結果を受信することと、
前記１つまたは複数のシステム走査結果に少なくとも部分的に基づいて、第１のＲＡＴから第２のＲＡＴに切り替えるべきかどうかを決定することと
を備える、通信の方法。
［Ｃ１８］
前記１つまたは複数の特性は、ノードの前記セット中の前記ノードとのＲＡＴ類似性、ＲＡＴごとのシステム走査ごとに消費される電力量、前記ノードが接続状態にあるかどうか、前記ノードがボイス能力を有するかどうかのうちの少なくとも１つまたは複数を備える、Ｃ１７に記載の方法。
［Ｃ１９］
ノードの前記サブセットが、ノードの前記セットのためのＲＡＴごとのシステム走査ごとに消費される電力量を最小限に抑える１つまたは複数のノードを備える、Ｃ１７に記載の方法。
［Ｃ２０］
前記１つまたは複数のシステム走査を実施することが、第１のＲＡＴについて並列システム走査を実施することを備え、ここにおいて、ノードの前記サブセット中の各ノードが、それぞれのＲＡＴについて前記並列システム走査を実施する、Ｃ１７に記載の方法。
［Ｃ２１］
ノードの前記第２のサブセットから前記１つまたは複数のシステム走査結果を受信することが、前記ノードとノードの前記第２のサブセット中の前記ノードとの間のピアツーピア（Ｐ２Ｐ）接続性を介して前記１つまたは複数のシステム走査結果を受信することを備え、ここにおいて、前記Ｐ２Ｐ接続性が、Ｂｌｕｅｔｏｏｔｈ、ワイヤレスローカルエリアネットワーク（ＷＬＡＮ）、ワイヤレスワイドエリアネットワーク（ＷＷＡＮ）、ＷｉＦｉ、ロングタームエボリューション（ＬＴＥ）、およびＤ−ｂｕｓのうちの１つまたは複数を介した接続性を備える、Ｃ１７に記載の方法。
［Ｃ２２］
ノードの前記第２のサブセットの一部である１つまたは複数のノードから１つまたは複数の後続のシステム走査結果を受信することと、
前記１つまたは複数のシステム走査結果および前記１つまたは複数の後続のシステム走査結果のうちの一方または両方に少なくとも部分的に基づいて、前記第１のＲＡＴから前記第２のＲＡＴに切り替えるべきかどうかを決定することと、ここにおいて、前記第１のＲＡＴから前記第２のＲＡＴに切り替えることが、前記第１のＲＡＴを無効にすること、前記第１のＲＡＴに対して関連するパブリックランドモバイルネットワーク（ＰＬＭＮ）のタイミング関連付けを防ぐこと、および前記第１のＲＡＴに対してＰＬＭＮ識別情報（ＩＤ）を禁止することのうちの１つまたは複数を備える、をさらに備える、Ｃ１７に記載の方法。
［Ｃ２３］
通信のためのコンピュータ実行可能コードを記憶する非一時的コンピュータ可読媒体であって、
ノードがノードの第１のサブセットの一部であると決定するためのコードと、ここにおいて、前記第１のサブセット中の各ノードが、１つまたは複数の無線アクセス技術（ＲＡＴ）に対する１つまたは複数のシステム走査を実施することを禁止され、ここにおいて、前記決定することが、前記ノードの１つまたは複数の特性に少なくとも部分的に基づき、
ノードの第２のサブセットによって送信された１つまたは複数のシステム走査結果を監視するためのコードと、ここにおいて、前記第２のサブセット中の各ノードが、ノードの前記第１のサブセットを少なくとも含むノードのセットのための１つまたは複数のシステム走査を実施し、
ノードの前記第２のサブセットから前記１つまたは複数のシステム走査結果を受信するためのコードと、
前記１つまたは複数のシステム走査結果に少なくとも部分的に基づいて、第１のＲＡＴから第２のＲＡＴに切り替えるべきかどうかを決定するためのコードと
を備える、非一時的コンピュータ可読媒体。
［Ｃ２４］
ノードがノードの第１のサブセットの一部であると決定するための手段と、ここにおいて、前記第１のサブセット中の各ノードが、１つまたは複数の無線アクセス技術（ＲＡＴ）に対する１つまたは複数のシステム走査を実施することを禁止され、ここにおいて、前記決定することが、前記ノードの１つまたは複数の特性に少なくとも部分的に基づき、
ノードの第２のサブセットによって送信された１つまたは複数のシステム走査結果を監視するための手段と、ここにおいて、前記第２のサブセット中の各ノードが、ノードの前記第１のサブセットを少なくとも含むノードのセットのための１つまたは複数のシステム走査を実施し、
ノードの前記第２のサブセットから前記１つまたは複数のシステム走査結果を受信するための手段と、
前記１つまたは複数のシステム走査結果に少なくとも部分的に基づいて、第１のＲＡＴから第２のＲＡＴに切り替えるべきかどうかを決定するための手段と
を備える、通信のための装置。
［Ｃ２５］
決定構成要素は、ノードがノードの第１のサブセットの一部であると決定するように構成され、ここにおいて、前記第１のサブセット中の各ノードが、１つまたは複数の無線アクセス技術（ＲＡＴ）に対する１つまたは複数のシステム走査を実施することを禁止され、ここにおいて、前記決定することが、前記ノードの１つまたは複数の特性に少なくとも部分的に基づき、
監視構成要素が、ノードの第２のサブセットによって送信された１つまたは複数のシステム走査結果を監視するように構成され、ここにおいて、前記第２のサブセット中の各ノードが、ノードの前記第１のサブセットを少なくとも含むノードのセットのための１つまたは複数のシステム走査を実施し、
システム選択構成要素が、ノードの前記第２のサブセットから前記１つまたは複数のシステム走査結果を受信するように構成され、
切替え構成要素が、前記１つまたは複数のシステム走査結果に少なくとも部分的に基づいて、第１のＲＡＴから第２のＲＡＴに切り替えるべきかどうかを決定するように構成された、を備える、通信のための装置。
［Ｃ２６］
前記１つまたは複数の特性は、ノードの前記セット中の前記ノードとのＲＡＴ類似性、ＲＡＴごとのシステム走査ごとに消費される電力量、前記ノードが接続状態にあるかどうか、前記ノードがボイス能力を有するかどうかのうちの少なくとも１つまたは複数を備える、Ｃ２５に記載の装置。
［Ｃ２７］
ノードの前記サブセットが、ノードの前記セットのためのＲＡＴごとのシステム走査ごとに消費される電力量を最小限に抑える１つまたは複数のノードを備える、Ｃ２５に記載の装置。
［Ｃ２８］
前記１つまたは複数のシステム走査を実施することが、第１のＲＡＴについて並列システム走査を実施することを備え、ここにおいて、ノードの前記サブセット中の各ノードが、それぞれのＲＡＴについて前記並列システム走査を実施する、Ｃ２５に記載の装置。
［Ｃ２９］
前記システム選択構成要素が、前記ノードとノードの前記第２のサブセット中の前記ノードとの間のピアツーピア（Ｐ２Ｐ）接続性を介して前記１つまたは複数のシステム走査結果を受信するようにさらに構成され、ここにおいて、前記Ｐ２Ｐ接続性が、Ｂｌｕｅｔｏｏｔｈ、ワイヤレスローカルエリアネットワーク（ＷＬＡＮ）、ワイヤレスワイドエリアネットワーク（ＷＷＡＮ）、ＷｉＦｉ、ロングタームエボリューション（ＬＴＥ）、およびＤ−ｂｕｓのうちの１つまたは複数を介した接続性を備える、Ｃ２５に記載の装置。
［Ｃ３０］
前記システム選択構成要素が、ノードの前記第２のサブセットの一部である１つまたは複数のノードから１つまたは複数の後続のシステム走査結果を受信するようにさらに構成され、
ここにおいて、前記切替え構成要素が、前記１つまたは複数のシステム走査結果および前記１つまたは複数の後続のシステム走査結果のうちの一方または両方に少なくとも部分的に基づいて、前記第１のＲＡＴから前記第２のＲＡＴに切り替えるべきかどうかを決定するようにさらに構成され、ここにおいて、前記第１のＲＡＴから前記第２のＲＡＴに切り替えることが、前記第１のＲＡＴを無効にすること、前記第１のＲＡＴに対して関連するパブリックランドモバイルネットワーク（ＰＬＭＮ）のタイミング関連付けを防ぐこと、および前記第１のＲＡＴに対してＰＬＭＮ識別情報（ＩＤ）を禁止することのうちの１つまたは複数を備える、Ｃ２５に記載の装置。
【図１】
0006594893.tif 000002
【図２】
0006594893.tif 000003
【図３】
0006594893.tif 000004
【図４】
0006594893.tif 000005
【図５】
0006594893.tif 000006
【図６】
0006594893.tif 000007
【図７】
0006594893.tif 000008
【図８】
0006594893.tif 000009
【図９】
0006594893.tif 000010
【図１０】
0006594893.tif 000011
【図１１】
0006594893.tif 000012